(57)【特許請求の範囲】
【請求項１】
第１及び第２の自由端部を含むタイプのブレスレット用クラスプであって、
前記クラスプ（１７０）は、以下：
−前記ブレスレットの前記第１及び第２の自由端部それぞれと一体化するように形成された、第１及び第２のブレスレット締結部材（１７２、１７４）を有し、前記締結部材（１７２、１７４）は、少なくとも１つの開放位置と閉鎖装用位置との間で互いに可動であり、前記閉鎖装用位置では、前記部材は前記開放位置にある場合に比べて互いに対して接近し、前記ブレスレットを閉鎖して前記ブレスレットの有効長さを決定する；
−前記ブレスレット締結部材（１７２、１７４）を前記閉鎖位置に保持するよう設けられたロック部材（２１０）；
−ユーザの操作に反応して前記クラスプ（１７０）のロックを解除して、前記ブレスレット締結部材（１７２、１７４）を前記閉鎖位置から前記開放位置へと移動させるように設けられた前記ロック部材（２１０）のための少なくとも１つの制御部材（１８０）；並びに
−前記ブレスレットの有効長さを調整するためのデバイス（１８２）は：
−前記第１のブレスレット締結部材（１７２）を支持し、前記ブレスレットのストランドが固定されている調整部材（１８４、１８６、２２６、２２８）；及び
−前記調整部材（１８４、１８６、２２６、２２８）が固定される初期閉鎖状態と、前記ブレスレットの前記有効長さを変更するために前記調整部材（１８４、１８６、２２６、２２８）が前記第２のブレスレット締結部材（１７４）に対して前記ブレスレットの長さ方向に自由に摺動する開放状態とを有することができるロック（２１２）
を備える、クラスプにおいて、
前記調整デバイス（１８２）は、前記ロック部材（２１０）から分離されており、
前記ロック（２１２）は、前記クラスプと一体であり、前記調整部材とは別部材である前記ロック部材（２１０）の前記制御部材（１８０）に対して前記ユーザが操作することにより、閉状態から開状態へと変化するよう設けられ、これにより前記調整部材（１８４、１８６、２２６、２２８）は前記クラスプの開閉状態とは独立して変位し、
前記制御部材は、前記ユーザの操作に反応して前記ブレスレットの長手方向に対して略垂直な方向に移動できるプッシュピース（２１３）を備え、前記プッシュピースは前記ロック（２１２）とは独立している
ことを特徴とする、第１及び第２の自由端部を含むタイプのブレスレット用クラスプ。
【請求項２】
前記調整部材は、前記第１のブレスレット締結部材（１７２）を支持する支持構造（１８４）と、前記ロック（２１２）と協働するよう設けられたフィンガ（２２８）とを備え、
前記ロックは前記支持構造（１８４）と隣接したプレート（２１４）を備え、前記プレート（２１４）は前記ブレスレットの長手方向のスロット（２１６）を備え、
前記スロット（２１６）は、前記ロック（２１２）が閉状態にある際に、前記フィンガ（２２８）と協働して前記ブレスレットの２つの異なる有効長さを画定できる少なくとも２つのノッチ（２１８）を有し、
その一方で前記フィンガ（２２８）は、前記ロック（２１２）が開状態にある際に、前記スロット（２１６）内へと摺動して一方の前記ノッチ（２１８）から他方の前記ノッチ（２１８）へと通過して前記ブレスレットの有効長さを変更できる
ことを特徴とする、請求項１に記載のクラスプ。
【請求項３】
前記支持構造（１８４）は上側壁部（１８６）と下側壁部（２２６）とを備え、
前記上側壁部（１８６）と前記下側壁部（２２６）間には前記プレート（２１４）が配設され、
前記フィンガ（２２８）は、前記上側壁部（１８６）と前記下側壁部（２２６）とを互いに対して固定するねじの形態を採る
ことを特徴とする、請求項２に記載のクラスプ。
【請求項４】
前記上側壁部（１８６）は、側壁（１８８）を支持する上面を含むカバー（１８４）で形成され、
前記側壁（１８８）は、前記ブレスレットのストランドを固定するためのバー（１９０）の両端部を収容するように設けられた２つの孔と、少なくとも１つの支持表面とを有し、前記支持表面に対して前記下側壁部（２２６）が前記ねじ（２２８）によって保持される
ことを特徴とする、請求項３に記載のクラスプ。
【請求項５】
前記クラスプは追加の制御部材（１８０）を備え、
前記制御部材（１８０）は同一であり、かつ前記ブレスレットの長手方向に関して対称であること、並びに
前記調整デバイス（１８２）は：
前記追加の制御部材（１８０）と連動する一対の追加のロック（２１２）；及び
前記追加のロックと（２１２）連動する追加のフィンガ（２２８）
を備えている
ことを特徴とする、請求項４に記載のクラスプ。
【請求項６】
前記クラスプは、互いにヒンジ留めされた少なくとも２つのストリップ（１７２、１７４）を備えた展開式バックル型のクラスプであり、
前記第１のストリップ（１７２）は、前記ブレスレットの長手方向に関して対称な２つのポスト（１７８）を備え、
前記２つのポスト（１７８）は、前記ポスト（１７８）を弾性復元手段（２２４）の力に対抗するように一時的に近接させることによって前記クラスプを前記閉鎖位置に配置するために、第２のストリップ（１７４）の相補的な凹部に挿入される請求項１〜５のいずれか１項に記載のクラスプであって、
前記各ポスト（１７８）は、前記ロック（２１２）及び前記プッシュピース（２１３）のうちの一方を支持し、前記プッシュピース（２１３）は前記ロック（２１２）に対して当接し、前記カバー（１８４）の前記側壁（１８８）に設けた対応する開口部（２１５）を通して摺動可能に係合し、前記開口部（２１５）内において、前記プッシュピース（２１３）の両側部上に延在するリム（２１７）によって保持されていることを特徴とする、請求項１〜５のいずれか１項に記載のクラスプ。
【請求項７】
前記クラスプ（１７０）の前記閉鎖位置では、前記プッシュピース（２１３）の前記リム（２１７）は前記第２のストリップ（１７４）の内縁部と係合し、前記クラスプ（１７０）の前記閉状態を維持することを特徴とする、請求項６に記載のクラスプ。
【請求項８】
前記第２のストリップ（１７４）の各前記内縁部は窪み（２１０）を有し、前記クラスプ（１７０）が閉鎖されると、前記プッシュピース（２１３）の対応する前記リム（２１７）が前記窪み（２１０）と係合することを特徴とする、請求項７に記載のクラスプ。
【請求項９】
前記調整デバイス（１８２）は、１つ又は複数の前記ロック（２１２）を閉状態に保持しようとする力を１つ又は複数の前記ロックに印加する弾性部材（２２４）を備えていることを特徴とする、請求項１〜８のいずれか１項に記載のクラスプ。
【請求項１０】
前記調整デバイス（１８２）は中間部材（２２２）を備え、
前記中間部材（２２２）の位置は前記ロック（２１２）に対して固定されており、
また前記中間部材（２２２）は前記弾性部材（２２４）の一端部のための支持表面を有することを特徴とする、請求項９に記載のクラスプ。
【請求項１１】
前記調整デバイス（１８２）は、前記ブレスレットの２つの異なる有効長さに対応する少なくとも２つの構成の位置出しを行うよう設けられた少なくとも２つの相補的な開口（２３６）と連動するボールクリック（２３４）を備えている
ことを特徴とする、請求項１０に記載のクラスプ。
【請求項１２】
前記ボールクリック（２３４）は、前記中間部材（２２２）に支持されていることを特徴とする、請求項１１に記載のクラスプ。
【請求項１３】
前記開口（２３６）は、前記調整デバイス（１８２）の前記上側壁部（１８６）に設けられていることを特徴とする、請求項９〜１２に記載のクラスプ。
【請求項１４】
前記クラスプのロック解除は前記制御部材（１８０）の第１の量ｄ１の変位と連動し、  前記ロック（２１２）による前記調整部材（１８４、１８６、２２６、２２８）のロック解除は、前記制御部材（１８０）の第２の量ｄ２（ここでｄ１はｄ２未満である）の変位と連動する
ことを特徴とする、請求項１〜１３のいずれか１項に記載のクラスプ。
【請求項１５】
請求項１〜１４のいずれか１項に記載のクラスプを備えるブレスレットを含む、腕時計。
【発明の詳細な説明】
【技術分野】
【０００１】
本発明は、第１及び第２の自由端部を備えたタイプのブレスレット用クラスプに関する。このクラスプは、ブレスレットの第１及び第２の自由端部それぞれと一体化するように作製されたブレスレット締結用の第１及び第２の部材を備え、これら締結部材は、少なくとも１つの開放位置と閉鎖装用位置との間で互いに可動であり、前記閉鎖装用位置では、これら締結部材は前記開放位置にある場合に比べて互いに対して接近し、ブレスレットを閉鎖してブレスレットの有効長さを決定する。このクラスプは、ブレスレット締結部材を閉鎖位置に保持するよう設けられた少なくとも１つのロック部材と、ユーザの操作に反応してクラスプのロックを解除して、ブレスレット締結部材を閉鎖位置から開放位置へと移動させるよう設けられた前記ロック部材のための少なくとも１つの制御部材とを備えている。本発明によるクラスプは、更にブレスレットの有効長さを調整するためのデバイスを備え、このデバイスは：第１のブレスレット締結部材を支持する調整部材；及び調整部材が固定される初期閉鎖状態と、ブレスレットの有効長さを変更するために調整部材が第２のブレスレット締結部材に対してブレスレットの長さ方向に自由に摺動する開放状態とを有することができる少なくとも１つのロックを備えている。
【０００２】
本発明はまた、前記クラスプが取り付けられた腕時計にも関する。
【背景技術】
【０００３】
ブレスレットの有効長さを調整するためのデバイスを提供する必要に関して、複数の公知の文献が存在する。
【０００４】
その一方で、複数のリンクで形成されたブレスレットの場合、ユーザの手首の周りの長さは、ブレスレットの、１つのリンクによって互いから分離される２つの構成部分間の長さ以下となる。これは、レザー、ラバー等で作製されたブレスレットが穿孔を有し、十分に微細な調整を実現できない場合にも同様に当てはまる。同様に、リンクの取り外し又は追加よりも微細なブレスレット長さの調整を可能にする、ブレスレットの有効長さを調整するためのデバイスを提供することは有用である。
【０００５】
更に、手首の周りの長さは季節によって変動し、一般的には夏に最大値に達し、冬に最小値に達することも知られている。ここでもまた、ブレスレットを装着するユーザがブレスレットの装用感を改善するために、長さを調節できるブレスレットの有効長さの微細調整デバイスを提供することが好ましい。
【０００６】
例えば特許文献１は、ブレスレットを結合するためのバーの端部を収容するように設計された１対の孔を数組有するカバーを備える展開タイプのバックルを有するクラスプを開示している。隣接した２対の孔は、ブレスレットの有効長さの調整目盛り１つ分を画定する距離だけ離間しており、これにより上述の問題を解決する。
【０００７】
しかしながら、対応するブレスレットの長さの調節は、先端が尖った工具を用いなければ実施できないため困難である。このような操作はある程度の器用さを必要とするだけでなく、調整を行うユーザが不器用である場合、カバーの破損を引き起こすリスクもある。
【０００８】
このような状況を回避するために、例えば特許文献２において開示されているような代替デバイスが既に開示されており、前記特許文献２は、上述のクラスプと同様であるものの、代替として、工具を使用せずに操作できるブレスレットの有効長さを調整するためのデバイスを備えるクラスプを開示している。実際、特許文献１が開示しているクラスプは、２つのストリップを備える展開バックルを有するタイプであり、前記２つのストリップは、これら両方を貫通するピンによって互いにヒンジ留めされており、ストリップはその自由端部に、ブレスレットを締結するための部材を備えている。第１のストリップはフックを備え、このフックは、第２のストリップに設けた孔と係合して、この孔の内部でスプリングキャッチと協働することで、フックを、ひいてはクラスプを閉鎖状態にロックできるよう設計されている。第２のストリップは、ブレスレットの有効長さの調整目盛りを画定する所定の範囲内で互いに対して摺動可能な２つの部品を備えている。これら２つの部品のうち第１のものは、それ自体を第１のストリップに接続するヒンジを備え、その一方で第２の部品は、ロック用スプリングキャッチを備えている。フックが係合してクラスプをロックする孔は、第２のストリップの２つの部品間の摺動範囲に等しい長さをブレスレットの長手方向に有する。スプリングキャッチは中央部品を有し、この中央部品は、ブレスレットの２つの異なる有効長さに対応するブレスレットの長手方向におけるフックの２つの位置を画定する。特にプッシュピースを備える制御部材は、スプリングキャッチを駆動してフックを解放してクラスプを開放できる。
【０００９】
よって、特許文献２に記載のクラスプは、長さ調整を行うために開かなければならない。
【００１０】
その結果として発生する欠点は、クラスプを開く度にブレスレットの長さ調整が失われる点であると指摘できる。その結果、クラスプを閉じる度に、ブレスレットの装用者は、所望のブレスレット長さと適合する中央スプリングキャッチ部品の側部にフックが挿入されていることを確認しなければならない。
【００１１】
この種の欠点を回避するために、代替案として、特定のロック部材を備える調整デバイスが提案されている。
【００１２】
特許文献３は、その一例を提供している。しかしながら、これらのデバイスは、クラスプのロックに関わる少なくとも１つの制御部材と、調整デバイスのロックに関わる少なくとも１つの追加の制御部材とを備えることができるため、一般に複雑で、あまり個別化されていない構造を有する。
【先行技術文献】
【特許文献】
【００１３】
【特許文献１】欧州特許出願第０９１３１０６Ａ１号
【特許文献２】欧州特許第０３５０７８５号
【特許文献３】欧州特許出願第１３７８１８５Ａ１号
【発明の概要】
【発明が解決しようとする課題】
【００１４】
本発明の主な目的は、ブレスレットの有効長さを調整するための、構造が単純で、好ましくはクラスプが開いている時も含めて安定した調整を提案し、操作が容易なデバイスを有するブレスレット用クラスプを提案することによって、従来技術による公知のクラスプの欠点を克服することである。
【課題を解決するための手段】
【００１５】
本発明はこの目的のために、第１及び第２の自由端部を含むタイプのブレスレット用クラスプに関する。このクラスプは、以下を備えている：
−ブレスレットの第１及び第２の自由端部それぞれと一体化するように作製された、第１及び第２のブレスレット締結部材であって、この締結部材は、少なくとも１つの開放位置と閉鎖装用位置との間で互いに可動であり、前記閉鎖装用位置では、これら固定部材は前記開放位置にある場合に比べて互いに対して接近し、ブレスレットを閉鎖してブレスレットの有効長さを決定する；
−ブレスレット締結部材を閉鎖位置に保持するよう設けられた少なくとも１つのロック部材；
−ユーザの操作に反応してクラスプのロックを解除して、ブレスレット締結部材を閉鎖位置から開放位置へと移動させるよう設けられた前記ロック部材のための少なくとも１つの制御部材；並びに
−ブレスレットの有効長さを調整するためのデバイス。このデバイスは：
−前記第１のブレスレット締結部材を支持する調整部材；及び
−前記調整部材が固定される初期閉鎖状態と、ブレスレットの有効長さを変更するために前記調整部材が前記第２のブレスレット締結部材に対してブレスレットの長さ方向に自由に摺動する開放状態とを有することができる、少なくとも１つのロック
を備え、
前記調整デバイスは前記ロック部材から分離され、前記ロックは、ロック部材の前記制御部材に対してユーザが操作することにより閉状態から開状態へと移動するよう設けられ、これにより前記調整部材はクラスプの開閉状態とは独立して変位でき、
前記制御部材は、ユーザの操作に反応してブレスレットの長手方向に対して略垂直な方向に移動できるプッシュピースを備え、前記プッシュピースは前記ロックとは独立している。
【００１６】
これらの特徴の結果として、本発明による調整デバイスは、クラスプのロックを解除するために事前に設けられている制御部材によって駆動されるものの、クラスプのロック部材とは分離されているため、個別化された構造を有し、これにより更に、クラスプが閉状態にある場合でさえ、ブレスレットの長さの調整が可能となる。
【００１７】
概して、有利には、クラスプのロック解除は制御部材の第１の量ｄ１の変位と連動し、前記ロックによる調整部材のロック解除は制御部材の第２の量ｄ２（ここでｄ１はｄ２未満である）の変位と連動するものとすることができる。
【００１８】
よって、調整部材のロックを解除することなくクラスプのロックを解除でき、これにより、上述の従来技術のクラスプとは対照的に、クラスプが開いている間に所望の調整を維持できることが保証される。
【００１９】
更に、この調整部材は好ましくは、第１のブレスレット締結部材を支持する支持構造と、ロックと協働するよう設けられた少なくとも１つのフィンガとを備えている。前記ロックは前記支持構造と隣接したプレートを備え、前記プレートはブレスレットの長手方向のスロットを備えている。このスロットは、ロックが閉状態にある際にフィンガと協働してブレスレットの２つの異なる有効長さを画定できる少なくとも２つのノッチを有し、その一方で前記フィンガは、ロックが開状態にある際にスロット内へと摺動して一方のノッチから他方のノッチへと通過し、ブレスレットの有効長さを変更できる。
【００２０】
好ましい変形例によると、支持構造は上側壁部と下側壁部とを備え、これらの間にはプレートが配設され、前記フィンガは、上側壁部と下側壁部とを互いに対して固定するねじの形態を採る。
【００２１】
更に、上側壁部は側壁を支持する上面を備えるカバーで形成され、前記側壁は：
ブレスレットのストランドの締結用バーの両端部を収容するよう設計された２つの孔；及び
これに対して下側壁部がねじによって保持される少なくとも１つの支持表面
を有するものとすることができる。
【００２２】
また有利には、制御部材は、ユーザの操作に反応してブレスレットの長手方向に対して略垂直な方向に変位可能なプッシュピースを備え、前記プッシュピースは前記ロックとは独立しているものとすることができる。
【００２３】
概して、クラスプは追加の制御部材を備え、上述の複数の制御部材は同一であり、かつブレスレットの長手方向に関して対称であるものとすることができ、また調整デバイスは：
追加の制御部材と連動する追加のロック（上述の複数のロックは同一であり、かつブレスレットの長手方向に関して対称である）；及び
追加のロックと連動する追加のフィンガ
を備えるものとすることができる。
【００２４】
好ましい実施形態によると、このクラスプは、互いにヒンジ留めされた少なくとも２つのストリップを備える展開式バックル型のクラスプであり、第１のストリップは、ブレスレットの長手方向に関して対称な２つのポストを備え、これら２つのポストは、これらポストを弾性復元手段に対して一時的に近接させることによってクラスプを閉鎖位置に配置するために、第２のストリップの相補的凹部に挿入される。各ポストの外側縁部は、凹部の対応する内縁部と協働して、クラスプのロック部材を画定する。従って有利には、各前記ポストは前記ロックのうちの１つを支持するものとすることができ、また前記プッシュピースはロックに対して当接し、カバーの側壁に設けられた対応する開口部を通して摺動可能に係合し、この開口部内において、プッシュピースの両側部上に延在するリムによって保持されるものとすることができる。
【００２５】
一般に、調整デバイスは、１つ又は複数のロックを閉状態に保持しようとする力を前記（１つ又は複数の）ロックに印加する少なくとも１つの弾性部材を備えるものとすることもできる。
【００２６】
この場合、調整デバイスは好ましくは中間部材を備え、この中間部材の位置はロックに対して固定されており、またこの中間部材は弾性部材の一端部のための支持表面を有する。
【００２７】
調整デバイスはまた、ブレスレットの２つの異なる有効長さに対応する少なくとも２つの構成の位置出しを行うように設けられた少なくとも２つの相補的な開口と連動するボールクリックを備えることができる。よって、中間部材がこのボールクリックを支持できる。この場合前記開口は、調整デバイスの上側壁部に設けることができる。
【００２８】
本発明の他の特徴及び利点は、非限定的な例として挙げる添付した図面を参照し、好ましい実施形態に関する以下の詳細な説明を読むことにより明らかになるであろう。
【図面の簡単な説明】
【００２９】
【図１】図１は、閉状態のブレスレットのクラスプの簡略化した全体斜視図である。
【図２】図２は、開状態の図１のクラスプの部分展開斜視図である。
【図３】図３は、第１の構成における図１のクラスプの設計の詳細を示す簡略断面図である。
【図４】図４は、第２の構成における、図３と同様の図である。
【図５】図５は、開状態のブレスレットのクラスプの部分展開斜視図である。
【図６】図６は、図５のクラスプの設計の詳細を示す簡略断面図である。
【図７】図７は、図５のクラスプの長手方向断面図である。
【図８】図８は、開状態の本発明によるクラスプの第２の変形実施形態の内側から視た展開斜視図である。
【図９】図９は、クラスプの外側の図８と同様の図である。
【図１０】図１０は、図８、９のクラスプの設計の詳細を示す簡略断面図である。
【図１１】図１１は、図８、９のクラスプの長手方向断面図である。
【図１２】図１２は、第１の構成における図８のクラスプの設計の詳細を示す簡略断面図である。
【図１３】図１３は、クラスプの第２の構成における図１２と同様の図である。
【発明を実施するための形態】
【００３０】
非限定的な例として図２、８に示すクラスプは、本発明の好ましい実施形態に相当する。より具体的には、クラスプ１、１７０は展開式バックルタイプのクラスプであり、時計のブレスレットを締結するために設計されている。
【００３１】
図１からより具体的に明らかになるように、クラスプ１は、ピン６によって第２のストリップ４にヒンジ留めされた第１のストリップ２を備え、ここでは前記ピン６は例としてストリップ４にリベット留めされたロッドからなるが、これに限定されない。各ストリップはブレスレットの長手方向に伸長した形状を有し、装用者の手首の形状により良好に適合するよう、僅かに湾曲している。
【００３２】
第１のストリップ２は、ピン６の側部に配置された各端部において互いに接触するよう設けられた２つのポスト８を有し、これらはそれぞれ、前記ポスト８がその全長の殆どに亘って互いに接触しないようにするための切欠き部を有する。
【００３３】
各ポスト８は、ピン６から離れた端部の近傍において、ブレスレットの長手方向に対して垂直な方向に延在してプッシュピースを形成する延長部分１０を有し、前記プッシュピースは、後で図２の詳細な説明から分かるように、クラスプのロックを解除できる制御部材を形成する。
【００３４】
更に、第１のストリップ２の自由端部は、クラスプ１と連動するよう設計された、ブレスレットの有効長さを調整するためのデバイス１２を備えている。
【００３５】
調整デバイス１２は、側壁１８を支持する上側壁部１６を有するカバー１４を有する。側壁１８は、従来の様式でブレスレットのストランドを固定するバー２０の一端部を格納するための２つの孔を備える。
【００３６】
図２は、開状態のクラスプ１の展開斜視図である。
【００３７】
第２のストリップ４は２つのアーム２２を備え、これらは中央領域において横方向ポスト２４によって連結されていることが図２から明らかである。アーム２２は、ブレスレットのストランドを固定するための固定プレート２８を支持する屈曲部分２６をその延長部分に備え、これは略アーム２２の方向に対して変位され、ブレスレットのストランドのための凹部を形成する。
【００３８】
固定プレート２８は等間隔に離間した複数の孔３０を有し、この孔３０には、ブレスレットの孔と係合してブレスレットをクラスプに固定するよう設計された丸頭足付きねじ３２を挿入でき、この足付きねじ３２にはねじ（図示せず）がねじ込まれている。各屈曲部分２６はまた、ブレスレットのストランドをクラスプ１上に位置決めした後の保持を改善するための、小型舌状部３４を有する。横方向ポスト２４は、ブレスレットの別の孔と係合してクラスプ上へのブレスレットの保持を更に改善するよう設計された任意の爪状部３６又はねじを支持する。ねじ３２を１つの孔３０又は別の孔に配置して、前記ねじと爪状部３６との間に、ブレスレットのストランドに配設された整数個の孔間距離に対応する空間を形成している。
【００３９】
第２のストリップ４のアーム２２間の空間は、クラスプ１の閉状態において公知の様式で第１のストリップ２を収容できる凹部を形成する。
【００４０】
クラスプを閉状態に保持するために、従来のロック手段を設ける。ポスト８の外縁部は、プッシュピース１０近傍に厚くなった部分３８を有し、これは、凹部において第２のストリップ４の内縁部と摩擦によって協働するように設計されている。特に、第２のストリップの各内縁部は窪み４０を有し、クラスプが閉鎖されると、第１のストリップ２の対応する厚くなった部分３８がこの窪み４０と係合する。各ポスト８に作製された切欠き部によって空間が形成され、この空間により、クラスプのロック中に、又はプッシュピース１０を駆動して窪み４０から前記厚くなった部分３８を解放し、クラスプを開放する際に、弾性復元手段に対向するようにポスト８を互いに対して近接させることができる。
【００４１】
前述の特許文献１はこのタイプのクラスプについて詳細に説明しており、当業者は必要に応じてこれを参照してよい。
【００４２】
各プッシュピース１０は、ブレスレットの有効長さを調整するためのデバイスのロック４２をその延長部分に備えている。
【００４３】
各ロック４２はスロット４６を有するプレート４４を有し、前記スロット４６はブレスレットの長手方向に設けられた端部に２つのノッチ４８を有する。
【００４４】
前記ロックはこれらの間にＴ字型凹部５０を画定するよう成形されており、前記Ｔ字型凹部５０は、中間部材５２と協働して、この中間部材５２をロック４２に対して保持するよう作られている。
【００４５】
中間部材５２の第１の機能は、ばね５４の第１の端部のための支持表面を提供することであり、前記ばね５４の第２の端部は、対応するプレート４４に対して当接している。後に述べる図３、４の詳細な説明から分かるように、これらのばねは、ロック４２を閉状態に保持するよう設けられている。
【００４６】
中間部材の第２の機能は、調整デバイスの構造安定性を改善するための横材として作用することである。
【００４７】
実際、図２から、調整デバイスの支持構造は、フィンガとして機能する２つのねじ５８によってカバー１４の上側壁部１６に固定された下側壁部５６を含むことが明らかである。また、上側壁部１６及び中間部材５２はそれぞれ支持表面を有し、下側壁部５６をこれら支持表面に対して設けることにより、得られる組立体の安定性を改善する。
【００４８】
ねじ５８は、スロット４６を通して、そして中間部材５２に配設された適切なスロット６０を通して取付けられる。
【００４９】
従ってロック４２は下側壁部５６と上側壁部１６との間に配設され、スロット４６とねじ５８との協働によって格納されている。
【００５０】
本発明による調整デバイスを操作する方法について、図３、４を参照して以下に説明する。これらの図は、それぞれ第１及び第２の構成における調整デバイスの中央平面に沿った同様の簡略断面図である。
【００５１】
より具体的には、図３はクラスプの長構成、即ちブレスレットの有効長さが最も長くなる構成に相当し、図４はクラスプの短構成、即ちブレスレットの有効長さが最も短くなる構成に相当する。
【００５２】
これらの図それぞれにおいて、上半分は閉状態の第１のロック４２を示し、下半分は開状態の第２のロック４２を示す。
【００５３】
プッシュピース１０が駆動されていない場合、ばね５４の作用によって補助される静止状態のポスト８の形状は、各ロック４２を、閉状態に対応する分離位置に保持する。
【００５４】
この構成では、各ねじ５８はノッチ４８のうちの１つの中に位置し、支持構造はロック４２に対してブレスレットの長手方向に移動できない。
【００５５】
プッシュピース１０が駆動されると、ロック４２は互いに対して近接するよう移動し、開状態へと変化する（図３、４の下半分）。
【００５６】
この操作中にノッチ４８は変位し、その結果としてねじ５８はスロット４６の溝に配置され、これによってねじ５８はスロットに沿って摺動できるため、ねじ５８を必要に応じて一方の又は他方のノッチ４８に係合して位置決めできる。よって、ユーザがプッシュピース１０を駆動してロック４２を開状態にすると、ユーザはカバー１４を操作してブレスレットの長手方向に沿って移動させ、ブレスレットの有効長さを変更できる。ねじ５８が再びノッチ４８のうちの１つに対向すると、ユーザがプッシュピース１０を操作しなければ、ばね５４の弾性及びばね５４が同時に起こす作用により、ポスト８は静止形状に戻る。この作用により、ロック４２は必然的に閉状態へと戻り、これによって、下側壁部５６及びねじ５８と連動するカバー１６を含む調整部材をロックする。
【００５７】
図３と図４とを比較すると、図３の構成では、ブレスレットをクラスプ１に組み付けた場合にブレスレットストランドが重なる部分の長さは、図４の構成におけるその長さより小さいことが明らかであり、これは、図３の構成が図４の構成より長いブレスレットの有効長さを提供することを意味する。
【００５８】
更に、図３の上半分と下半分との比較から、ポスト８の第１の変形量ｄ１によりクラスプ１のロックを解除でき、その一方で、ねじ５８を解放してねじ５８がスロット５６内で摺動できるようにするためには、ポスト８の（第１の量ｄ１より大きい）第２の変形量ｄ２が必要となることが明らかである。これにより、調整デバイスによって行われている調整を変更することなくクラスプ１を開くことができるよう、好ましい様式で設計を行うことができる。
【００５９】
更に、この特定の特徴により、クラスプが開状態である場合にクラスプの長さを調整することもでき、また有利にはこの調整を維持することもできる。
【００６０】
図５〜７は、上述のクラスプの変形例を示す。ここでの説明を簡略化するために、上述の実施形態の要素と同一の要素には同一の参照番号を付し、上述の実施形態と異なる特徴のみを詳細に説明するものとする。
【００６１】
図５は、クラスプ１００を閉状態の構成で示す展開斜視図であり、このクラスプの構造はクラスプ１と概ね同一である。
【００６２】
クラスプ１００は主に、ブレスレットの有効長さを調整するためのデバイス１１２の構造において、クラスプ１とは異なる。
【００６３】
調整デバイス１１２は、クラスプ１００の第１のストリップ１０２のポスト１０８と一体である２つのロック１４２を備え、また、クラスプを開放するため、及びロック１４２を閉状態から開状態へと変化させるために、プッシュピース１１０を設ける。
【００６４】
中間部材１５２は、調整デバイスの下側壁部１５６と上側壁部１１６との間に配設され、各ロック１４２に設けられた厚くなった部分１６２によってブレスレットの長手方向に保持される。
【００６５】
前記第１の実施の形態で中間部材５２に関して上述した機能に加えて、中間部材１５２は、可能性のある様々な調整構成の位置出しを確実に行うよう設計されたボールクリック１６４を備えている。
【００６６】
図５から、上側壁部１１６は、ボールクリック１６４のボールと協働するよう設計された開口１６６を備えていることも明らかである。
【００６７】
調整デバイス１１２の構造は、図６においてよりはっきりと確認できる。この図６はこのデバイスの、中央平面に沿った断面図である。
【００６８】
中間部材１５２は、ロック１４２に作用して前記ロックを閉状態に保持するためのばね１５４の第１の端部のための２つの支持表面を形成する小型舌状部１６８を有する。
【００６９】
図７はクラスプ１００の長手方向断面図であり、従ってこの図７は、クラスプ１００の可能性のある様々な調整位置の位置出しを行うために、ボールクリック１６４がカバー１１４の上側壁部１１６とどのように協働するかをより良好に図示している。
【００７０】
図７では、クラスプ１００を長構成で示す。カバー１１４を図の左側へ移動させると、ブレスレット（図示せず）が短くなることは、上述の説明から明らかである。
【００７１】
本発明のクラスプの別の変形実施形態を、図８、９に示す。全体を通して参照番号１７０で示すクラスプは、ピン１７６によって第２のストリップ１７４上にヒンジ留めされた第１のストリップ１７２を含む。各ストリップ１７２、１７４は、ブレスレットの長手方向に伸長した形状を有し、装用者の手首の形状により良好に適合するよう、僅かに湾曲している。
【００７２】
第１のストリップ１７２は２つのポスト１７８を有し、これらポスト１７８は、これらがピン１７６の側部に配置された各端部においてのみ互いに接触するようにするために、切欠き部を有する。
【００７３】
各ポスト１７８は、ピン１７６から離れた端部の近傍において、以下に詳細に説明するようにクラスプのロックを解除できる制御部材１８０を構成する延長部分を有する。
【００７４】
更に、第１のストリップ１７２の自由端部は、クラスプ１７０と連動するよう設計されたブレスレットの有効長さを調整するためのデバイス１８２を備えている。調整デバイス１８２は、側壁１８８を支持する上側壁部１８６を有するカバー１８４を有する。側壁１８８は、従来の様式でブレスレットのストランドを固定するためのバー１９０の一端部を収容するための、２つの孔を備えている。
【００７５】
第２のストリップ１７４は２つのアーム１９２を備え、これらは中央領域において横方向ポスト１９４によって連結されていることが、図８、９から明らかである。アーム１９２は、ブレスレットのストランドを固定するためのプレート１９８を支持する屈曲部分１９６をその延長部分に備え、これは略アーム１９２の方向に対して変位され、ブレスレットのストランドのための凹部を形成している。
【００７６】
固定プレート１９８は等間隔に離間した複数の孔２００を有し、この孔２００には、ブレスレットの孔と係合してブレスレットをクラスプに固定するよう設計された丸頭足付きねじ２０２を挿入でき、この丸頭足付きねじ２０２にはねじ２０３がねじ込まれている。各屈曲部分１９６はまた、ブレスレットのストランドをクラスプ１７０上に位置決めした後の保持を改善するための小型舌状部２０４を有する。横方向ポスト１９４は、ブレスレットの別の孔と係合してクラスプ上へのブレスレットの保持を更に改善するよう設計された、任意のねじ又は爪状部２０６を支持する。足付きねじ２０２を１つの孔２００又は別の孔に配置して、前記足付きねじと爪状部２０６との間に、ブレスレットのストランドに配設された整数個の孔間距離に対応する空間を形成してもよい。
【００７７】
第２のストリップ１７４のアーム１９２間の空間は、クラスプ１７０の閉状態において第１のストリップ１７２を収容できる凹部を形成している。
【００７８】
各制御部材１８０は、ブレスレットの有効長さを調整するためのデバイスのロック２１２をその延長部分に備えている。
【００７９】
各ロック２１２はスロット２１６を有するプレート２１４を有し、前記スロット２１６はブレスレットの長手方向に設けられた端部に２つのノッチ２１８を有する。
【００８０】
調整デバイス１８２は、クラスプ１７０の第１のストリップ１７２のポスト１７８と一体である２つのロック２１２を備え、また、クラスプを開放するため、及びロック２１２を閉状態から開状態へと変化させるために、プッシュピース２１３を備えている。これらプッシュピース２１３は、ロック２１２に対して当接し、カバー１８４の側壁１８８に設けられた対応する開口部２１５を通して摺動可能に係合し、またこの開口部２１５内において、プッシュピース２１３の両側部上に延在するリム２１７によって保持される。クラスプ１７０の閉鎖位置において、プッシュピース２１３のリム２１７は第２のストリップ１７４の内縁部と係合しクラスプ１７０の閉状態を維持する。特に、第２のストリップ１７４の各内縁部は窪み２１０を有し、クラスプ１７０が閉鎖されると、プッシュピース２１３の対応する制御部材１８０がこの窪み２１０と係合する。ユーザがプッシュピース２１３を互いに向かって駆動すると、制御部材１８０は窪み２１０から解放され、これによってクラスプ１７０を開くことができる。各ポスト１７８に作製された切欠き部によって空間が形成され、この空間により、クラスプ１７０のロック中に、又はプッシュピース２１３を駆動して窪み２１０から制御部材１８０を解放し、クラスプ１７０を開放する際に、ばね２２４の弾性復元力に対向するようにポスト１７８を互いに対して近接するよう移動させることができる。
【００８１】
中間部材２２２は、調整デバイスの下側壁部２２６と上側壁部１８６との間に配設され、各ロック２１２に配設された厚くなった部分２３２によってブレスレットの長手方向に保持されている。
【００８２】
中間部材２２２は、可能性のある様々な調整構成の位置出しを確実に行うためのボールクリック２３４を備えている。
【００８３】
図８、９から、上側壁部１８６は、ボールクリック２３４のボールと協働するように設計された開口２３６を備えていることも明らかである。
【００８４】
調整デバイス１８２の構造は、図１０においてよりはっきりと確認できる。この図１０はこのデバイスの、中央平面に沿った断面図である。
【００８５】
中間部材２２２は、ロック２１２に作用して前記ロックを閉状態に保持するためのばね２２４の第１の端部のための２つの支持表面を形成する小型舌状部２３８を有する。
【００８６】
図１１はクラスプ１７０の長手方向断面図であり、従ってこの図１１は、クラスプ１７０の可能性のある様々な調整位置の位置出しを行うために、ボールクリック２３４がカバー１８４の上側壁部１８６とどのように協働するかをより良好に図示している。
【００８７】
図１０では、クラスプ１７０を長構成で示す。カバー１８４を図の左側へ移動させると、ブレスレット（図示せず）が短くなることは、上述の説明から明らかである。
【００８８】
ロック２１２はこれらの間にＴ字型凹部を画定するように成形されており、前記Ｔ字型凹部は、中間部材２２２と協働して、この中間部材２２２をロック２１２に対して保持するよう設計されている。
【００８９】
中間部材２２２の第１の機能は、ばね２２４の第１の端部のための支持表面を提供することであり、前記ばね２２４の第２の端部は、対応するプレート２１４に対して当接している。これらのばね２２４は、ロック２１２を閉状態に保持するように設けられている。
【００９０】
中間部材２２２の第２の機能は、調整デバイスの構造安定性を改善するための横材として作用することである。
【００９１】
実際、図８、９から、調整デバイスの支持構造は、２つのねじ２２８によってカバー１８４の上側壁部１８６に固定された下側壁部２２６を有することが明らかである。また、上側壁部１８６及び中間部材２２２はそれぞれ支持表面を有し、下側壁部２２６をこれら支持表面に対して設けることにより、得られる組立体の安定性を改善する。
【００９２】
ねじ２２８はスロット２１６を通して取付けられる。従ってロック２１２は下側壁部２２６と上側壁部１８６との間に位置付けられ、スロット２１６とねじ２２８との協働によって格納される。
【００９３】
プッシュピース２１３がユーザによって駆動されていない場合、ばね２２４の作用によって補助される静止状態のポスト１７８の形状は、各ロック２１２を、閉状態に対応する分離位置に保持する。
【００９４】
この構成では、各ねじ２２８はノッチ２１８のうちの１つの中に位置し、支持構造はロック２１２に対してブレスレットの長手方向に移動できない。
【００９５】
ユーザによってプッシュピース２１３を駆動すると、ロック２１２は互いに対して近接するよう移動し、開状態へと変化する。この操作中にノッチ２１８は変位し、その結果としてねじ２２８はスロット２１６の溝に位置し、これによってねじ２２８はスロットに沿って摺動できるため、ねじ２２８を必要に応じて一方の又は他方のノッチ２１８に対向して位置決めできる。よって、ユーザがプッシュピース２１３を駆動してロック２１２を開状態にすると、ユーザはカバー１８４を操作してブレスレットの長手方向に沿って移動させ、ブレスレットの有効長さを変更できる。ねじ２２８が再びノッチ２１８のうちの１つに対向すると、ユーザがプッシュピース２１３を操作しなければ、ばね２２４の弾性及びばね２２４が同時に起こす作用により、ポスト１７８は静止形状に戻る。この作用により、ロック２１２は必然的に閉状態へと戻り、これによって、下側壁部２２６及びねじ２２８と連動するカバー１８６を含む調整部材をロックする。
【００９６】
本発明による調整デバイスを操作する方法について、図１２、１３を参照して以下に説明する。これらの図は、それぞれ第１及び第２の構成における、調整デバイスの中央平面に沿った同様の簡略断面図である。
【００９７】
より具体的には、図１２はクラスプの長構成、即ちブレスレットの有効長さが最も長くなる構成に相当し、図１３はクラスプの短構成、即ちブレスレットの有効長さが最も短くなる構成に相当する。
【００９８】
これらの図それぞれにおいて、上半分は閉状態の第１のロック２１２を示し、下半分は開状態の第２のロック２１２を示す。
【００９９】
制御部材１８０が押圧されていない場合、ばね２２４の作用によって補助される静止状態のポスト１７８の形状は、各ロック２１２を、閉状態に対応する分離位置に保持される
。
【０１００】
この構成では、各ねじ２２８はノッチ２１８のうちの１つの中に位置し、支持構造はロック２１２に対してブレスレットの長手方向に移動できない。
【０１０１】
プッシュピース２１３が駆動されると、ロック２１２は互いに対して近接するように移動し、開状態へと変化する（図１２、１３の下半分）。
【０１０２】
この操作中にノッチ２１８は変位し、その結果としてねじ２２８はスロット２１６の溝に位置し、これによってねじ２２８はスロットに沿って摺動できるため、ねじ２２８を必要に応じて一方の又は他方のノッチ２１８に係合して位置決めできる。よって、ユーザがプッシュピース２１３を駆動してロック２１２を開状態にすると、ユーザはカバー１８４を操作してブレスレットの長手方向に沿って移動させ、ブレスレットの有効長さを変更できる。ねじ２２８が再びノッチ２１８のうちの１つに対向すると、ユーザがプッシュピース２１３を操作しなければ、ばね２２４の弾性及びばね２２４が同時に起こす作用により、ポスト１７８は静止形状に戻る。この作用により、ロック２１２は必然的に閉状態へと戻り、これによって、下側壁部２２６及びねじ２２８と連動するカバー１８６を含む調整部材をロックする。
【０１０３】
図１２と図１３とを比較すると、図１２の構成では、ブレスレットをクラスプ１７０に組み付けた場合にブレスレットストランドが重なる部分の長さは、図１３の構成におけるその長さより小さいことが明らかであり、これは、図１２の構成が図１３の構成より長いブレスレットの有効長さを提供することを意味する。
【０１０４】
更に、図１２の上半分と下半分との比較から、前記図３に示すようにポスト１７８の第１の変形量ｄ１によりクラスプ１７０のロックを解除でき、その一方で、ねじ２２８を解放してねじ２２８がスロット２２６内で摺動できるようにするためには、ポスト１７８の（第１の量ｄ１より大きい）第２の変形量ｄ２が必要となることが明らかである。これにより、調整デバイスによって行われている調整を変更することなくクラスプ１７０を開くことができるよう、好ましい様式で設計を行うことができる。
【０１０５】
更に、この特定の特徴により、前記クラスプが開状態である場合にクラスプの長さを調整することもでき、また有利にはこの調整をその後維持することもできる。
【０１０６】
本発明は、第１及び第２の自由端部を備えるタイプのブレスレットのためのクラスプにも関し、このクラスプ１７０は、以下を備える：
−ブレスレットの第１及び第２の自由端部それぞれと一体化するように作製された第１のブレスレット締結部材１７２及び第２のブレスレット締結部材１７４。これらの締結部材１７２、１７４は、少なくとも１つの開放位置と閉鎖装用位置との間で互いに可動であり、前記閉鎖装用位置では、これら固定部材は前記開放位置にある場合に比べて互いに対して接近し、ブレスレットを閉鎖してブレスレットの有効長さを決定する；
−ブレスレット締結部材１７２、１７４を閉鎖位置に保持するよう配設された少なくとも１つのロック部材２１０、２１７；
−ユーザの操作に反応してクラスプ１７０のロックを解除して、ブレスレット締結部材１７２、１７４を閉鎖位置から開放位置へと移動させるよう設けられた前記ロック部材２１０、２１７のための少なくとも１つの制御部材１８０；並びに
−ブレスレットの有効長さを調整するためのデバイス１８２。このデバイス１８２は：
−前記第１のブレスレット締結部材１７２を支持する調整部材１８４、１８６、２２６、２２８；及び
−前記調整部材１８４、１８６、２２６、２２８が固定される初期閉鎖状態と、ブレスレットの有効長さを変更するために前記調整部材１８４、１８６、２２６、２２８が前記第２のブレスレット締結部材１７４に対してブレスレットの長さ方向に自由に摺動する開放状態とを有することができる、少なくとも１つのロック２１２を備えている。
前記調整デバイス１８２は前記ロック部材２１０、２１７から分離されている。前記ロック２１２は、ロック部材２１０、２１７の前記制御部材１８０に対するユーザの操作により閉状態から開状態へと移動するよう設けられ、これにより前記調整部材１８４、１８６、２２６、２２８はクラスプの開閉状態とは独立して変位できる。
前記制御部材は、ユーザの操作に反応してブレスレットの長手方向に対して略垂直な方向に変位できるプッシュピース２１３を備え、前記ロック２１２は前記プッシュピース２１３とは独立している。
【０１０７】
前記調整部材は、前記第１のブレスレット締結部材１７２を支持する支持構造１８４と、前記ロック２１２と協働するように設けられた少なくとも１つのフィンガとして機能するねじ２２８とを備えている。前記ロックは前記支持構造１８４と隣接したプレート２１４とを備え、前記プレート２１４はブレスレットの長手方向のスロット２１６を備えている。前記スロット２１６は、前記ロック２１２が閉状態にある際に前記ねじ２２８と協働してブレスレットの２つの異なる有効長さを形成できる少なくとも２つのノッチ２１８を有し、その一方で前記フィンガ２２８は、前記ロック２１２が開状態にある際に前記スロット２１６内へと摺動して一方のノッチ２１８から他方のノッチ２１８へと通過し、ブレスレットの有効長さを変更できる。
【０１０８】
前記支持構造１８４は上側壁部１８６と下側壁部２２６とを備え、これらの間には前記プレート２１４が設けられ、前記ねじ２２８は、前記上側壁部１８６と前記下側壁部２２６とを互いに対して固定するねじの形態を取る。
【０１０９】
前記上側壁部１８６は、側壁１８８を支持する上面を含むカバー１８４で形成され、前記側壁１８８は、ブレスレットのストランドを固定するためのバー１９０の両端部を収容するように設けられた２つの孔と、少なくとも１つの支持表面とを有し、前記支持表面に対して前記下側壁部２２６が前記ねじ２２８によって保持される。
【０１１０】
このクラスプは追加の制御部材１８０を備え、前記制御部材１８０は同一であり、かつブレスレットの長手方向に関して対称である。またクラスプは：
前記追加の制御部材１８０と連動する追加のロック２１２（前記ロック２１２は同一であり、かつブレスレットの長手方向に関して対称である）；及び
前記追加のロックと２１２連動する追加のねじ２２８
を備える。
【０１１１】
このクラスプは、互いにヒンジ留めされた少なくとも２つのストリップ１７２、１７４を備えた展開式バックル型のクラスプであり、第１のストリップ１７２は、ブレスレットの長手方向に関して対称な２つのポスト１７８を備え、これら２つのポスト１７８は、前記ポスト１７８を弾性復元手段２２４に対して一時的に近接させることによってクラスプを閉鎖位置に配置するために、第２のストリップ１７４の実質的に相補的な凹部に挿入される。各前記ポスト１７８は前記ロック２１２及び前記プッシュピース２１３のうちの一方を支持し、前記プッシュピース２１３はロック２１２に対して当接し、カバー１８４の側壁１８８に設けられた対応する開口部２１５を通して摺動可能に係合し、この開口部２１５内において、プッシュピース２１３の両側部上に延在するリム２１７によって保持される。
【０１１２】
クラスプ１７０の閉鎖位置では、プッシュピース２１３のリム２１７は第２のストリップ１７４の内縁部と係合し、クラスプ１７０の閉状態を維持する。
【０１１３】
第２のストリップ１７４の各内縁部は窪み２１０を有し、クラスプ１７０が閉鎖されると、プッシュピース２１３の対応するリム２１７がこの窪み２１０と係合する。
【０１１４】
前記調整デバイス１８２は、１つ又は複数の前記ロック２１２を閉状態に保持しようとする力を前記（１つ又は複数の）ロックに印加する、少なくとも１つの弾性部材２２４を備える。
【０１１５】
前記調整デバイス１８２は好ましくは中間部材２２２を備え、この中間部材２２２の位置は前記ロック２１２に対して固定されており、またこの中間部材２２２は前記弾性部材２２４の一端部のための支持表面を有する。
【０１１６】
前記調整デバイス１８２はまた、ブレスレットの２つの異なる有効長さに対応する少なくとも２つの構成の位置出しを行うように設けられた少なくとも２つの実質的に相補的な開口２３６と連動するボールクリック２３４を備えている。
【０１１７】
前記ボールクリック２３４は、前記中間部材２２２に支持されている。
【０１１８】
前記開口２３６は、前記調整デバイス１８２の前記上側壁部１８６に設ける。
【０１１９】
クラスプのロック解除は前記制御部材１８０の第１の量ｄ１の変位と連動し、前記ロック２１２による前記調整部材１８４、１８６、２２６、２２８のロック解除は、前記制御部材１８０の第２の量ｄ２（ここでｄ１はｄ２未満である）の変位と連動する。
【０１２０】
本発明はまた、本発明によるクラスプを備えるブレスレットを含む腕時計にも関する。
【０１２１】
以上の説明から、本発明によるクラスプは、ブレスレットの有効長さを調整するためのデバイスを含み、このデバイスは構造が単純であり、操作が容易であり、その一方で個別化された審美的外観を保持しており、空間要件も削減されるものであることは明らかである。
【０１２２】
以上の説明は、非限定的な例としての特定の実施形態を説明しようと試みたものであり、本発明は、例えばストリップ、又はクラスプのロックを保証するためのストリップの協働の態様について具体的に例示及び説明した形態等の上述の特定の特徴の実装に制限されるものではない。
【０１２３】
当業者は、本発明の範囲から逸脱することなく本開示の内容を個人的な要件に適合させること、及びクラスプを特に時計に実装することに関して、いずれの特別な困難を感じることはないだろう。例えば当業者は、本開示において図示及び説明したものと異なる構造を有する展開式バックルの設計に、本開示の教示を適合させることに関して、いずれの困難を有さないであろうことを特記しておく。
【０１２４】
更に、本発明によるクラスプは、ブレスレットの有効長さを調整するために２つの位置を使用するものに限定されない。実際には当業者は、前記と同様に、より多数の可能な調整位置を有するクラスプを構成することに本教示を適合させることに関して、いずれの特別な困難を感じることはないであろう。
【符号の説明】
【０１２５】
１７０  クラスプ
１７２  第１のブレスレット締結部材、第１のストリップ
１７４  第２のブレスレット締結部材、第２のストリップ
１７８  ポスト
１８０  制御部材
１８２  調整デバイス
１８４  調整部材、支持構造、カバー
１８６  調整部材、上側壁部
１８８  側壁
２１０  ロック部材、窪み
２１２  ロック
２１３  プッシュピース
２１４  プレート
２１５  開口部
２１６  スロット
２１７  ロック部材、リム
２１８  ノッチ
２２２  中間部材
２２４  弾性復元手段、弾性部材
２２６  調整部材、下側壁部
２２８  調整部材、フィンガ、ねじ、追加のフィンガ
２３４  ボールクリック
２３６  開口
ｄ１    第１の量
ｄ２    第２の量
【図１】
0006040213.tif 000002
【図２】
0006040213.tif 000003
【図３】
0006040213.tif 000004
【図４】
0006040213.tif 000005
【図５】
0006040213.tif 000006
【図６】
0006040213.tif 000007
【図７】
0006040213.tif 000008
【図８】
0006040213.tif 000009
【図９】
0006040213.tif 000010
【図１０】
0006040213.tif 000011
【図１１】
0006040213.tif 000012
【図１２】
0006040213.tif 000013
【図１３】
0006040213.tif 000014